(57)【特許請求の範囲】
【請求項１】
便器の洗浄水タンクに洗浄水を供給する洗浄水供給装置であって、
外部の給水源に上流側が接続されて洗浄水タンクの底面から上方に延びる給水管と、
この給水管と連通してほぼ水平方向に延びるパイロット穴が形成され、水平方向に移動することにより上記パイロット穴を開閉して洗浄水タンク内への給水及び止水を切り替え可能に上記給水管の上方且つ側方に設けられたダイヤフラム式の給水弁と、
上方を開放し、上記給水管に嵌合されて洗浄水を貯水する小タンクと、
この小タンクの底面又は側面に形成された開口を開閉する開閉弁と、
上記小タンク内に設けられ、上記小タンク内の水位の変動に応じて上下動することにより上記給水弁に上記パイロット穴を開閉させるフロートと、を有し、
上記小タンク及び上記フロートは、上記給水管に対して上記給水弁のパイロット穴の出口が位置する側とは反対側に配置されており、
上記給水管の上端部は、外側に突出して且つその先端部が上方に突出する凹部を形成し、この凹部の上周縁は、平面視において上記給水弁のパイロット穴の出口よりも外側に形成されていることを特徴とする洗浄水供給装置。
【請求項２】
上記給水管の上端部の凹部の側面には、上記給水管に対して上記小タンク及び上記フロートが位置する側とは反対側に上記凹部内の洗浄水を排出するための排出口が形成されている請求項１記載の洗浄水供給装置。
【請求項３】
上記小タンクは、その鉛直方向の最大長さが水平方向の最大長さよりも所定量短くなるような扁平形状に形成されている請求項１又は２に記載の洗浄水供給装置。
【請求項４】
請求項１乃至３の何れか１項に記載の洗浄水供給装置を備えたことを特徴とする洗浄水タンク装置。
【請求項５】
上記請求項４記載の洗浄水タンク装置を備えたことを特徴とする水洗大便器。
【発明の詳細な説明】
【技術分野】
【０００１】
本発明は、洗浄水供給装置、この洗浄水供給装置を備えた洗浄水タンク装置、及び、この洗浄水タンク装置を備えた水洗大便器に係り、特に、便器の洗浄水タンクに洗浄水を供給する洗浄水供給装置、この洗浄水供給装置を備えた洗浄水タンク装置、及び、この洗浄水タンク装置を備えた水洗大便器に関する。
【背景技術】
【０００２】
従来から、便器の洗浄水タンクに洗浄水を供給する洗浄水供給装置として、例えば、特許文献１に記載されているように、上方を開放するように桶状に形成され、その底面に開口が形成された小タンクと、この小タンク内に設けられたフロートと、このフロートの上下動と共に連動して洗浄水のタンクへの給止水を行うように水平方向に動く開閉弁である給水弁とを備えたものが知られている。また、このような洗浄水供給装置の給水弁は、パイロット穴が形成され、ダイヤフラム弁体が動いてパイロット穴を開閉する、いわゆる、ダイヤフラム式のものとなっている。
【先行技術文献】
【特許文献】
【０００３】
【特許文献１】米国特許第６７５５２０９号明細書
【発明の概要】
【発明が解決しようとする課題】
【０００４】
しかしながら、このような特許文献１に記載されている従来の洗浄水供給装置においては、パイロット穴が、水平方向に且つ小タンクが取り付けられている側に開口するように配置されている。そして、小タンク内の洗浄水が排出されフロートが下がっているときには、給水弁がパイロット穴を開放し、このパイロット穴から洗浄水が流出されるようになっている。
このような従来の洗浄水供給装置では、パイロット穴から流出した洗浄水は、小タンク内に流入して貯水され、洗浄水タンク内の水位が規定の水位に達する前にフロートが上昇して給水弁が早閉まりし、洗浄水タンクへの洗浄水への給水が停止してしまう。洗浄水タンクへの洗浄水への給水が停止してしまうことを防ぐために、小タンクへ洗浄水が流入しないように小タンク全体をカバーで覆う工夫も考えられるが、洗浄水給水装置全体が大型化してしまい、製造コストも増加してしまうという問題がある。
【０００５】
そこで、本発明は、上述した従来技術の問題点と課題を解決するためになされたものであり、洗浄水タンク内の止水水位が便器洗浄に必要な規定水位に達する前に、小タンク内の水位が上昇してフロートが上昇することにより給水弁が早閉まりし、給水が停止してしまう不具合が発生することを未然に防ぐことができると共に、装置全体が大型化することを防ぎ、製造コストを抑制することができる洗浄水供給装置を提供することを目的としている。
【課題を解決するための手段】
【０００６】
上記の目的を達成するために、本発明は、便器の洗浄水タンクに洗浄水を供給する洗浄水供給装置であって、外部の給水源に上流側が接続されて洗浄水タンクの底面から上方に延びる給水管と、この給水管と連通してほぼ水平方向に延びるパイロット穴が形成され、水平方向に移動することにより上記パイロット穴を開閉して洗浄水タンク内への給水及び止水を切り替え可能に上記給水管の上方且つ側方に設けられたダイヤフラム式の給水弁と、上方を開放し、上記給水管に嵌合されて洗浄水を貯水する小タンクと、この小タンクの底面又は側面に形成された開口を開閉する開閉弁と、上記小タンク内に設けられ、上記小タンク内の水位の変動に応じて上下動することにより上記給水弁に上記パイロット穴を開閉させるフロートと、を有し、上記小タンク及び上記フロートは、上記給水管に対して上記給水弁のパイロット穴の出口が位置する側とは反対側に配置されており、上記給水管の上端部は、外側に突出して且つその先端部が上方に突出する凹部を形成し、この凹部の上周縁は、平面視において上記給水弁のパイロット穴の出口よりも外側に形成されていることを特徴としている。
このように構成された本発明においては、フロートが下降して給水弁がパイロット穴を開放しているときに、パイロット穴の出口から洗浄水が流出したとしても、小タンク及びフロートが給水管に対して給水弁のパイロット穴の出口が位置する側とは反対側に配置されていることにより、パイロット穴の出口から流出した洗浄水を小タンク及びフロートとは反対側に流出させることができるため、パイロット穴の出口から流出した洗浄水が小タンク内に流入することを防ぐことができる。したがって、洗浄水タンク内の止水水位が便器洗浄に必要な規定水位に達する前に、小タンク内の水位が上昇してフロートが上昇することにより給水弁が早閉まりし、給水が停止してしまう不具合が発生することを未然に防ぐことができる。また、パイロット穴の出口から流出した洗浄水が小タンク内に流入することを防ぐための部材を設けること必要がないため、洗浄水供給装置全体が大型化することを防ぐことができ、洗浄水供給装置の製造コストを抑制することができる。さらに、給水管の上端部が、外側に突出して且つその先端部が上方に突出する凹部を形成し、この凹部の上周縁が、平面視において給水弁のパイロット穴の出口よりも外側に形成されているため、パイロット穴の出口から流出した洗浄水を給水管の上端部の凹部で確実に受け止めることができ、パイロット穴の出口から流出した洗浄水が小タンク内に流入することを防ぐことができる。したがって、洗浄水タンク内の止水水位が便器洗浄に必要な規定水位に達する前に、小タンク内の水位が上昇してフロートが上昇することにより給水弁が早閉まりし、給水が停止してしまう不具合が発生することを未然に防ぐことができる。
【０００８】
本発明において、好ましくは、上記給水管の上端部の凹部の側面には、上記給水管に対して上記小タンク及び上記フロートが位置する側とは反対側に上記凹部内の洗浄水を排出するための排出口が形成されている。
このように構成された本発明においては、パイロット穴の出口から流出して給水管の上端部の凹部で受け止められた洗浄水は、給水管の上端部の凹部の側面に形成された排出口から給水管に対して小タンク及びフロートが位置する側とは反対側に排出されるため、パイロット穴の出口から流出した洗浄水が小タンク内に流入することを防ぐことができる。したがって、洗浄水タンク内の止水水位が便器洗浄に必要な規定水位に達する前に、小タンク内の水位が上昇してフロートが上昇することにより給水弁が早閉まりし、給水が停止してしまう不具合が発生することを未然に防ぐことができる。
【０００９】
本発明において、好ましくは、上記小タンクは、その鉛直方向の最大長さが水平方向の最大長さよりも所定量短くなるような扁平形状に形成されている。
このように構成された本発明においては、鉛直方向の最大長さが水平方向の最大長さよりも所定量短くなるように形成された扁平形状の小タンクにより、洗浄水タンク内の水位が上昇して、小タンクの底面又は側面に形成された開口が閉開弁で塞がれ、その後、小タンク内に洗浄水を貯水可能となる時間を短くすることができるため、給水弁のパイロット穴から流出した洗浄水が万一小タンク内に流入したとしても、小タンク内に流入し貯水される洗浄水の水量を少なくすることができる。よって、洗浄水タンク内の止水水位が便器洗浄に必要な規定水位に達する前に、小タンク内の水位が上昇してフロートが上昇することにより給水弁が早閉まりし、給水が停止してしまう不具合が発生することを防ぐことができる。
【００１０】
つぎに、本発明は、上記洗浄水供給装置を備えたことと特徴とする洗浄水タンク装置である。
このように構成された本発明においては、洗浄水タンク内の止水水位が便器洗浄に必要な規定水位に達する前に、小タンク内の水位が上昇してフロートが上昇することにより給水弁が早閉まりし、給水が停止してしまう不具合が発生することを未然に防ぐことができる洗浄水供給装置を備えた洗浄水タンク装置を提供することができる。
【００１１】
つぎに、本発明は、上記洗浄水タンク装置を備えたことを特徴とする水洗大便器である。
このように構成された本発明においては、洗浄水タンク内の止水水位が便器洗浄に必要な規定水位に達する前に、小タンク内の水位が上昇してフロートが上昇することにより給水弁が早閉まりし、給水が停止してしまう不具合が発生することを未然に防ぐことができる洗浄水供給装置を備えた洗浄水タンク装置を有する水洗大便器を提供することができる。
【発明の効果】
【００１２】
本発明の洗浄水供給装置によれば、洗浄水タンク内の止水水位が便器洗浄に必要な規定水位に達する前に、小タンク内の水位が上昇してフロートが上昇することにより給水弁が早閉まりし、給水が停止してしまう不具合が発生することを未然に防ぐことができると共に、装置全体が大型化することを防ぎ、製造コストを抑制することができる。
【図面の簡単な説明】
【００１３】
【図１】本発明の一実施形態による洗浄水供給装置を備えた洗浄水タンク装置が適用された水洗大便器において、便座及び便蓋を取り外した状態を示す斜視図である。
【図２】本発明の一実施形態による洗浄水供給装置を備えた洗浄水タンク装置の内部構造を示す正面断面図である。
【図３】本発明の一実施形態による洗浄水供給装置を示す分解斜視図である。
【図４】本発明の一実施形態による洗浄水供給装置を示す正面断面図である。
【図５】本発明の一実施形態による給水時（開弁時）の状態の洗浄水供給装置について部分的に拡大した部分拡大断面図である。
【図６】本発明の一実施形態による止水時（閉弁時）の状態の洗浄水供給装置について部分的に拡大した部分拡大断面図である。
【図７】本発明の一実施形態による洗浄水供給装置のフィルター部材を前方斜め下方から見た斜視図である。
【図８】本発明の一実施形態による洗浄水供給装置のフィルター部材を後方斜め下方から見た斜視図である。
【図９】本発明の一実施形態による洗浄水供給装置のフィルター部材を示す下面図である。
【図１０】本発明の第一実施形態による洗浄水供給装置においてカバー部材を取り外した状態を示す平面図である。
【図１１】本発明の第一実施形態による洗浄水供給装置のカバー部材を取り外した状態の上方部分を斜め後方から見た部分分解斜視図である。
【図１２】本発明の第一実施形態による洗浄水供給装置のカバー部材を取り外した状態の上方部分を示す正面図である。
【図１３】図１２に示す本発明の第一実施形態による洗浄水供給装置の下側給水管の正面側の嵌合穴に上側給水管の正面側の嵌合突起を嵌合させた状態を示す部分拡大図である。
【図１４】本発明の第一実施形態による洗浄水供給装置のカバー部材を取り外した状態の上方部分を示す側面図である。
【図１５】図１４に示す本発明の第一実施形態による洗浄水供給装置の下側給水管の左側面側の嵌合穴に上側給水管の左側面側の嵌合突起を嵌合させた状態を示す部分拡大図である。
【図１６】本発明の第一実施形態による洗浄水供給装置の補給水装置を示す分解斜視図である。
【図１７】本発明の第一実施形態による洗浄水供給装置の補給水装置内の共通流路形成部を示す平面図である。
【図１８】本発明の第一実施形態による給水時（開弁時）の状態の洗浄水供給装置の補給水装置部分を拡大した部分拡大正面断面図である。
【図１９】本発明の第一実施形態による止水時（閉弁時）の状態の洗浄水供給装置の補給水装置部分を拡大した部分拡大正面断面図である。
【図２０】本発明の第一実施形態による洗浄水供給装置の補給水装置の共通流路形成部の内壁、弁体保持部及び通気口の部分を拡大した部分拡大平面図である。
【発明を実施するための形態】
【００１４】
つぎに、添付図面により、本発明の一実施形態による洗浄水供給装置、この洗浄水供給装置を備えた洗浄水タンク装置、及び、この洗浄水タンク装置を備えた水洗大便器について説明する。
まず、図１により、本発明の一実施形態による洗浄水供給装置を備えた洗浄水タンク装置が適用された水洗便器について説明する。
図１は、本発明の一実施形態による洗浄水供給装置を備えた洗浄水タンク装置が適用された水洗大便器において、便座及び便蓋を取り外した状態を示す斜視図である。
【００１５】
図１に示すように、符号１は、サイホン作用を利用してボウル部内の汚物を吸い込んで排水トラップ管路から一気に外部に排出する、いわゆる、サイホン式の水洗大便器であり、この水洗大便器１は、陶器製の便器本体２を備え、この便器本体２には、ボウル部４と、このボウル部４の下部と連通するトラップ管路６がそれぞれ形成されている。
便器本体２のボウル部４の上縁部には、内側にオーバーハングしたリム８と、便器本体２の後方側の内部に形成される導水路（図示せず）から供給される洗浄水を吐水する第１吐水口１０が形成され、この第１吐水口１０から吐水された洗浄水は、旋回しながら下降してボウル部４を洗浄するようになっている。
【００１６】
ボウル部４の下方には、溜水面が鎖線Ｗ０で示された溜水部１２が形成されている。この溜水部１２の下方には、排水トラップ管路６の入口６ａが開口し、この入口６ａから後方の排水トラップ管路６は排水ソケット（図示せず）を介して床下の排出管（図示せず）に接続されている。
また、ボウル部４の溜水面Ｗ０の上方位置には、便器本体２の後方側の内部に形成される導水路（図示せず）から供給される洗浄水を吐水する第２吐水口１４が形成され、この第２吐水口１４から吐水される洗浄水が溜水部１２の溜水を上下方向に旋回させる旋回流を生じさせるようになっている。
【００１７】
便器本体２の後方側の上面には、便器本体２に供給する洗浄水を貯水する洗浄水タンク装置１６が設けられている。
なお、本実施形態では、上述したサイホン式の水洗大便器に洗浄水タンク装置１６を適用した例について説明するが、このようなサイホン式の水洗大便器に限定されず、ボウル部内の水の落差による流水作用で汚物を押し流す、いわゆる、洗い落し式の水洗大便器等の他のタイプの水洗便器にも適用可能である。
【００１８】
つぎに、図２により、洗浄水タンク装置１６の内部構造について説明する。
図２は、本発明の一実施形態による洗浄水供給装置を備えた洗浄水タンク装置の内部構造を示す正面断面図である。なお、図２においては、貯水タンクの満水水位、止水水位及び死水水位のそれぞれをＷＬ０、ＷＬ１及びＤＷＬで示している。また、洗浄水供給装置による給水が開始される貯水タンク内の水位及び小タンク内の水位のそれぞれをＷＬ２及びｗｌでそれぞれ示している。
図１及び図２に示すように、洗浄水タンク装置１６は、水洗大便器１を洗浄する洗浄水を貯水する洗浄水タンクである貯水タンク１８を備え、この貯水タンク１８の底部には、便器本体２の導水路（図示せず）と連通する排水口２０が形成され、貯水タンク１８内の洗浄水が便器本体２の導水路（図示せず）へと供給されるようになっている。また、貯水タンク１８は、便器の種類に応じて、貯水する洗浄水の量が異なっている。
【００１９】
図２に示すように、洗浄水タンク装置１６の貯水タンク１８内には、この貯水タンク１８内に洗浄水を供給する洗浄水供給装置である洗浄水供給装置２２と、貯水タンク１８に貯えられた洗浄水について排水口２０を開放して便器本体２の導水路（図示せず）に流出させる排水弁装置２４とが設けられている。
また、この排水弁装置２４の側方には、上下方向に延びるオーバーフロー管２４ａが設けられ、このオーバーフロー管２４ａ内の下方部分は、排水口２０と連通しており、貯水タンク１８内の水位が万一満水水位ＷＬ０よりも上昇してオーバーフロー管２４ａの上端開口部２４ｂに達したときに、このオーバーフロー管２４ａの上端開口部２４ｂから流入した洗浄水は、排水口２０から便器本体２の導水路（図示せず）へ排出されるようになっている。
【００２０】
さらに、洗浄水供給装置２２の詳細は後述する補給水装置２６の補給水管２６ａには、補給水用のホース２８の上流側端部が接続されており、この補給水用のホース２８の下流側端部２８ａは、オーバーフロー管２４ａの真上又はオーバーフロー管２４ａの内部に配置され、洗浄水供給装置２２の補給水装置２６の補給水管２６ａから補給水用のホース２８に供給された補給水は、オーバーフロー管２４ａ内に流れ込み、便器本体２に補給水としてリフィールされるようになっている。
【００２１】
排水弁装置２４の構成については、従来の排水弁装置の構成と同様であるため、具体的な説明は省略するが、貯水タンク１８の外部に取り付けられた操作レバー３０を大洗浄又は小洗浄の所定の洗浄モードを実行させる方向に回動操作を行うことにより、操作レバー３０に連結された操作ワイヤ３２が連動して排水弁装置２４の弁体（図示せず）を引き上げると、排水口２０が所定時間開放され、貯水タンク１８内の洗浄水が便器本体２の導水路（図示せず）に一定量排出されるようになっている。
【００２２】
つぎに、図２〜図２０を参照して、本発明の一実施形態による洗浄水供給装置の詳細について説明する。
まず、図３は本発明の一実施形態による洗浄水供給装置を示す分解斜視図であり、図４は本発明の一実施形態による洗浄水供給装置を示す正面断面図である。なお、図４においては、貯水タンクの満水水位、止水水位及び死水水位のそれぞれをＷＬ０、ＷＬ１及びＤＷＬで示している。また、洗浄水供給装置２２による給水が開始される貯水タンク１８内の水位及び小タンク内の水位のそれぞれをＷＬ２及びｗｌでそれぞれ示している。
また、図５は本発明の一実施形態による給水時（開弁時）の状態の洗浄水供給装置について部分的に拡大した部分拡大断面図であり、図６は本発明の一実施形態による止水時（閉弁時）の状態の洗浄水供給装置について部分的に拡大した部分拡大断面図である。
なお、図４及び図５については、一次側給水路及び二次側給水路内の給水の流れを矢印で示している。
【００２３】
図２〜図６に示すように、本発明の一実施形態による洗浄水供給装置２２は、外部の給水源（図示せず）に接続され且つ貯水タンク１８の底面１８ａから上方に延びる給水管３４と、この給水管３４の上方且つ側方に設けられ且つ給水管３４から給水される洗浄水の貯水タンク１８内への吐水と止水を切り替えるダイヤフラム式の給水バルブ３６とを備えている。
また、洗浄水供給装置２２は、給水管３４に着脱可能に取り付けられる小タンク３８と、この小タンク３８の底面３８ａに形成された開口３８ｂを開閉する逆止弁４０と、小タンク３８内に設けられて小タンク３８内の水位の変動に応じて上下動するフロート４２と、一方がフロート４２に接続されると共に他方が給水バルブ３６に接続され、フロート４２が上下動することにより、給水バルブ３６の近傍の支点Ｐを中心に揺動して給水バルブ３６を開閉させる揺動部材４４とを備えている。
なお、小タンク３８の底面３８ａに形成された開口３８ｂは、小タンク３８の側面に形成されても良い。
【００２４】
さらに、洗浄水供給装置２２は、給水管３４の上方且つ側方に固定されて給水管３４に対する小タンク３８の上下方向の位置を調整することができる小フロート位置調整用の固定軸部材４６と、揺動部材４４の先端部とフロート４２とを接続するように取り付けられ、フロート４２のほぼ中央部に形成された取付穴４２ａに螺合されて揺動部材４４の先端部とフロート４２との鉛直方向の相対位置を調整可能な調整用軸部材４８とを備えている。
【００２５】
図２〜図４に示すように、給水管３４は、貯水タンク１８の底面１８ａに取り付けられ、外部の水道等の給水源（図示せず）に接続された下側給水管３４ａと、この下側給水管３４ａの上方に接続された上側給水管３４ｂとを備えている。これらの下側給水管３４ａ及び上側給水管３４ｂの中央には、上下方向に延びるように１次側給水路３４ｃが形成され、給水管３４の内部且つ１次側給水路３４ｃの外側には、２次側給水路３４ｄが形成されている。
また、図４に示すように、下側給水管３４ａの２次側給水路３４ｄの下端部には、流出口３４ｅが形成され、２次側給水路３４ｄ内の洗浄水は、流出口３４ｅから貯水タンク１８内に供給されるようになっている。
【００２６】
さらに、図４に示すように、下側給水管３４ａの１次側給水路３４ｃの上流側端部３４ｆには、その下流側の下側給水管３４ａの１次側給水路３４ｃの何れの箇所の通水断面積よりも小さい断面積を備えた絞り穴３４ｇが形成されており、この絞り穴３４ｇの大きさ（絞り穴３４ｇの通水断面積）に応じて洗浄水の瞬間流量を定めることができるようになっている。
【００２７】
また、図３及び図４に示すように、下側給水管３４ａの上端部には、その内部に上側給水管３４ｂの下方部分が挿入されており、この上側給水管３４ｂの下方部分の１次側給水路４６ａ内には、下側給水管３４ａから上側給水管３４ｂに流入した洗浄水中に含まれるゴミを除去するためのフィルター部材５０が取り付けられている。
【００２８】
つぎに、図７は本発明の一実施形態による洗浄水供給装置のフィルター部材を前方斜め下方から見た斜視図であり、図８は本発明の一実施形態による洗浄水供給装置のフィルター部材を後方斜め下方から見た斜視図であり、図９は、本発明の一実施形態による洗浄水供給装置のフィルター部材を示す下面図である。なお、図７及び図８においては、フィルター部材を通過する通水の流れを矢印で示している。
図３〜図９に示すように、フィルター部材５０は、洗浄水を通水させることによりゴミを除去する通水部５０ａと、この通水部５０ａの下端に設けられている取付部５０ｂとを備え、この取付部５０ｂが下方から上側給水管３４ｂの１次側給水路３４ｃ内に圧入されることにより、フィルター部材５０が上側給水管３４ｂの１次側給水路３４ｃ内に固定されるようになっている。
また、フィルター部材５０の取付部５０ｂが上側給水管３４ｂの１次側給水路３４ｃ内に圧入されて固定された状態では、フィルター部材５０の通水部５０ｂがその長手方向の中心軸線Ａ１回りにねじられることなく固定されており、この通水部５０ｂがねじれることによりフィルター部材５０の通水断面積Ｓ１（図４及び図９参照）が絞り穴３４ｇの通水断面積Ｓ２（図４参照）よりも小さくなってしまうことを防ぐことができるようになっている。
【００２９】
さらに、図７及び図８に示すように、フィルター部材５０の通水部５０ｂには、複数の横方向に延びるスリット５０ｃが形成されて上下方向に配置されており、各スリット５０ｃの間隔ｄ１は、ほぼ同一の大きさに設定されている。また、これらの複数のスリット５０ｃが形成する通水部５０ａの通水断面積の合計Ｓ３は、この下側給水管３４ａの絞り穴３４ｇの通水断面積Ｓ２（図４参照）よりも大きく設定されている。これにより、下側給水管３４ａから上側給水管３４ｂに洗浄水が流入してフィルター部材５０を通過する際に、洗浄水中に含まれているゴミによってフィルター部材５０が目詰まりしやすくなることを抑制し、フィルター部材５０を通過する際の圧力損失を抑制することができるようになっている。
【００３０】
また、図７〜図９に示すように、フィルター部材５０の横断面を前後左右に四分割した各領域Ｒ１〜Ｒ４において、フィルター部材５０を通過する通水を上下方向に仕切る仕切り部５０ｄ〜５０ｇが１つずつ設けられている。すなわち、領域Ｒ１では、フィルター部材５０の通水部５０ａの上端に仕切り部５０ｄが設けられ、領域Ｒ２では、フィルター部材５０の通水部５０ａの下端に仕切り部５０ｅが設けられている。また、領域Ｒ３では、フィルター部材５０の通水部５０ａの中間部に仕切り部５０ｆが設けられ、領域Ｒ４では、フィルター部材５０の通水部５０ａの中間部に仕切り部５０ｇが設けられている。
【００３１】
つぎに、図１０は、本発明の第一実施形態による洗浄水供給装置においてカバー部材を取り外した状態を示す平面図である。
図３〜図６及び図１０に示すように、補給水装置２６のハウジング２６ｂの上方を覆うカバー部材５２を取り外した状態では、上側給水管３４ｂの上方且つ側方にダイヤフラム式の給水バルブ３６が設けられている。
また、上側給水管３４ｂの上方で且つ給水バルブ３６の下流側には、給水バルブ３６から供給される洗浄水を貯水タンク１８内に供給すると共に、給水バルブ３６から供給される洗浄水を便器本体２に補給水としてリフィールさせる補給水装置２６の補給水管２６ａが設けられている。
【００３２】
図３、図５及び図６に示すように、給水バルブ３６は、上側給水管３４ｂの上下方向に延びる１次側給水路３４ｃと上側給水管３４ｂの水平方向に延びる２次側給水路３４ｄとの間に介在するように設けられた、いわゆる、ダイヤフラム式の給水バルブ３６であり、水平方向に延びる中心軸Ａ２を持つバルブハウジング３６ａと、このハブルハウジング３２ａの中心軸Ａ２に取り付けられ且つこの中心軸Ａ２に沿って図５及び図６の左右方向に移動可能なダイヤフラム３６ｂと、このダイヤフラム３６ｂに取り付けられてバルブハウジング３６ａ内においてダイヤフラム３６ｂと共に一体的に図５及び図６の左右方向に移動可能な弁体３６ｃとを備えている。
【００３３】
このダイヤフラム３６ｂには、中心軸Ａ２と平行に延びるブリード穴３６ｄが形成され、このブリード穴３６ｄにより、上側給水管３４ｂの１次側給水路３４ｃとダイヤフラム３６ｂの側方側にある背圧室３６ｅとが連通されている。この背圧室３６ｅの側部には、パイロット穴３６ｆが形成されている。
【００３４】
さらに、図５及び図６に示すように、給水バルブ３６のバルブハウジング３６ａの側方には、揺動部材４４がバルブハウジング３６ａの端部に位置する支点Ｐを中心に揺動可能に取り付けられ、この揺動部材４４は、揺動により給水バルブ３６のパイロット穴３６ｆを開閉する弁部材４４ａを備え、この揺動部材４４の弁部材４４ａが給水バルブ３６のパイロット穴３６ｆを開閉することにより、給水バルブ３６による給水及び止水を切り替えることができるようになっている。
なお、図５においては、小タンク３８内の水位がほぼ零となり、フロート４２が最低位置まで下降するように揺動部材４４が支点Ｐを中心に揺動した結果、弁部材４４ａが給水バルブ３６のパイロット穴３６ｆを開放し、弁体３６ｃが図５の左側に移動し、上側給水管３４ｂの２次側給水路３４ｄの上流側端部に位置する弁座３４ｈを開放した状態（給水状態）を示している。
一方、図６においては、フロート４２が最高位置まで上昇するように揺動部材４４が支点Ｐを中心に揺動した結果、弁部材４４ａが給水バルブ３６のパイロット穴３６ｆを閉鎖することにより、弁体３６ｃが図５の右側に移動し、２次側給水路３４ｄの上流側端部に位置する弁座３４ｈを閉鎖した状態（止水状態）を示している。
【００３５】
つぎに、図１１は、本発明の第一実施形態による洗浄水供給装置のカバー部材を取り外した状態の上方部分を斜め後方から見た部分分解斜視図であり、図１２は、本発明の第一実施形態による洗浄水供給装置のカバー部材を取り外した状態の上方部分を示す正面図である。また、図１３は、図１２に示す本発明の第一実施形態による洗浄水供給装置の給水管の上端取付部を拡大した部分拡大図であり、図１４は、本発明の第一実施形態による洗浄水供給装置のカバー部材を取り外した状態の上方部分を示す側面図である。
【００３６】
図３〜図６、図１０及び図１１に示すように、下側給水管３４ａの上端部３４ｉは、外側に突出して且つその先端部が上方に突出する円環状の凹部３４ｊを形成し、この凹部３４ｊの上周縁３４ｋは、平面視において給水バルブ３６のパイロット穴３６ｆの出口３６ｇよりも外側に形成されている。これにより、パイロット穴３６ｆの出口３６ｇから流出した洗浄水を下側給水管３４ａの上端部３４ｉの凹部３４ｊで確実に受け止めることができ、パイロット穴３６ｆの出口３６ｇから流出した洗浄水が小タンク３８内に流入することを防ぐことができるようになっている。したがって、貯水タンク１８内の止水水位ＷＬ１が便器洗浄に必要な規定水位に達する前に、小タンク３８内の水位が上昇してフロート４２が上昇することにより給水バルブ３６が早閉まりし、給水が停止してしまう不具合が発生することを未然に防ぐことができるようになっている。
【００３７】
また、図３〜図６、図１０及び図１１に示すように、小タンク３８及びフロート４２は、下側給水管３４ａに対して給水バルブ３６のパイロット穴３６ｆの出口３６ｇが位置する側とは反対側に配置されている。これにより、フロート４２が下降して給水バルブ３６がパイロット穴３６ｆを開放しているときに、パイロット穴３６ｆの出口３６ｇから洗浄水が流出したとしても、パイロット穴３６ｆの出口３６ｇから流出した洗浄水を小タンク３８及びフロート４２とは反対側に流出させることができるため、パイロット穴３６ｆの出口３６ｇから流出した洗浄水が小タンク３８内に流入することを防ぐことができるようになっている。
【００３８】
つぎに、図３〜図６、図１０及び図１１に示すように、上側給水管３４ｂにおいて、その１次側給水路３４ｃ内に取り付けられているフィルター部材５０の上端部とほぼ同じ高さの位置には、外側に突出して且つその先端部が上方に突出する円環状の凹部３４ｌが形成されている。この上側給水管３４ｂの円環状の凹部３４ｌの外周面には、外側に突出する嵌合突起３４ｍ，３４ｎが凹部３４ｌの周方向に沿って且つ前後左右に等間隔に４つ形成されている。
一方、下側給水管３４ａの上端部３４ｉの凹部３４ｊの外周面には、嵌合穴３４ｏ，３４ｐが周方向に沿って且つ前後左右に等間隔に４つ形成されており、上側給水管３４ｂを下側給水管３４ａに上方から挿入して取り付けた状態では、上側給水管３４ｂの嵌合突起３４ｍ，３４ｎが、それぞれに対応する下側給水管３４ａの嵌合穴３４ｏ，３４ｐに嵌合されるようになっている。
【００３９】
つぎに、図１２は、本発明の第一実施形態による洗浄水供給装置のカバー部材を取り外した状態の上方部分を示す正面図であり、図１３は、図１２に示す本発明の第一実施形態による洗浄水供給装置の下側給水管の正面側の嵌合穴に上側給水管の正面側の嵌合突起を嵌合させた状態を示す部分拡大図である。
また、図１４は、本発明の第一実施形態による洗浄水供給装置のカバー部材を取り外した状態の上方部分を示す左側面図であり、図１５は、図１４に示す本発明の第一実施形態による洗浄水供給装置の下側給水管の左側面側の嵌合穴に上側給水管の左側面側の嵌合突起を嵌合させた状態を示す部分拡大図である。
【００４０】
まず、図１２及び図１３に示すように、上側給水管３４ｂの嵌合突起３４ｍと下側給水管３４ａの嵌合穴３４ｏとは互いに隙間なく嵌合している状態になっている。
一方、図５、図１４及び図１５に示すように、上側給水管３４ｂの嵌合突起３４ｎと下側給水管３４ａの嵌合穴３４ｐとの間には、下側給水管３４ａの上端部３４ｉの凹部３４ｊの内側から外部に通水可能な排出口５４が形成されている。なお、図５、図１４及び図１５においては、下側給水管３４ａの上端部３４ｉの左側面側の排出口５４から流出する水の流れを矢印で示している。
また、上側給水管３４ｂの嵌合突起３４ｎ以外の嵌合突起と下側給水管３４ａの嵌合穴３４ｐ以外の嵌合穴は、互いに隙間なく嵌合している状態になっており、下側給水管３４ａの上端部３４ｉの凹部３４ｊの内側から外部に通水可能な排出口５４は形成されていない。
【００４１】
すなわち、下側給水管３４ａの上端部３４ｉの凹部３４ｊの内側から外部に通水可能な排出口５４は、下側給水管３４ａに対して小タンク３８及びフロート４２が位置する側とは反対側に配置されている。これにより、図５に示すようにパイロット穴３６ｆの出口３６ｇから流出して下側給水管３４ａの上端部３４ｉの凹部３４ｊで受け止められた洗浄水は、排出口５４から下側給水管３４ａに対して小タンク３８及びフロート４２が位置する側とは反対側に排出されるため、パイロット穴３６ｆの出口３６ｇから流出した洗浄水が小タンク３８内に流入することを防ぐことができるようになっている。したがって、貯水タンク１８内の止水水位ＷＬ１が便器洗浄に必要な規定水位に達する前に、小タンク３８内の水位が上昇してフロート４２が上昇することにより給水バルブ３６が早閉まりし、給水が停止してしまう不具合が発生することを未然に防ぐことができるようになっている。
【００４２】
つぎに、図１０及び図１２に示すように、小タンク３８は、その鉛直方向の最大長さＨが水平方向（長手方向）の最大長さＬよりも所定量短くなるような概ね横長の扁平形状に形成されている。
また、この小タンク３８の鉛直方向の最大長さＨと水平方向（長手方向）の最大長さＬとの比（以下「縦横比Ｈ／Ｌ」）は、１５．０〜２０．０に設定するのが好ましく、１／２．２５〜１／２．２８に設定するのが最も好ましい。これにより、
このように構成された本発明においては、鉛直方向の最大長さが水平方向の最大長さよりも所定量短くなるように形成された扁平形状の小タンクにより、貯水タンク１８内の水位が上昇して、小タンク３８の底面３８ａに形成された開口３８ｂが逆止弁４０で塞がれ、その後、小タンク３８内に洗浄水を貯水可能となる時間を短くすることができるため、給水弁のパイロット穴３６ｆから流出した洗浄水が万一小タンク３８内に流入したとしても、小タンク３８内に流入し貯水される洗浄水の水量を少なくすることができるようになっている。よって、貯水タンク１８内の止水水位が便器洗浄に必要な規定水位に達する前に、小タンク３８内の水位が上昇してフロート４２が上昇することにより給水バルブ３６が早閉まりし、給水が停止してしまう不具合が発生することを防ぐことができるようになっている。
また、小タンク３８の貯水可能な高さを比較的低く設定することができるため、貯水タンク１８内の水位が上昇して洗浄水が小タンク３８に流入した際に、非扁平形状の小タンク３８よりも早く貯水し、フロート４２を迅速に上昇させて給水バルブ３６を速やかに停止し、止水することができるようになっている。
さらに、給水バルブ３６のパイロット穴３６ｆの出口３６ｇから流出した洗浄水が万一小タンク３８内に流入したとしても、貯水タンク１８内の止水水位ＷＬ１が便器洗浄に必要な規定水位に達し、小タンク３８内の水位が上昇して止水された後に小タンク３８に洗浄水が流入することになるため、貯水タンク１８内の止水水位ＷＬ１が便器洗浄に必要な規定水位に達する前に、小タンク３８内の水位が上昇してフロート４２が上昇することにより給水バルブ３６が早閉まりし、給水が停止してしまう不具合が発生することを防ぐことができるようになっている。
【００４３】
つぎに、図１６は、本発明の第一実施形態による洗浄水供給装置の補給水装置を示す分解斜視図であり、図１７は、本発明の第一実施形態による洗浄水供給装置の補給水装置内の共通流路形成部を示す平面図である。
図３〜図６、図１０及び図１６に示すように、上側給水管３４ｂの水平方向に延びる２次側給水路３４ｄの上方に設けられた補給水装置２６のハウジング２６ｂの側面の斜め前方には、上側給水管３４ｂの２次側給水路３４ｄからハウジング２６ｂ内に流入した水の一部を分岐して補給水として貯水タンク１８内に吐水する補給水管２６ａが形成されている。
【００４４】
また、図１６及び図１７に示すように、補給水装置２６は、給水バルブ３６を通過した上側給水管３４ｂの２次側給水路３４ｄ内の洗浄水を補給水管２６ａから補給水用のホース２８及びオーバーフロー管２４ａを介して便器本体２に補給水としてリフィールさせると共に、上側給水管３４ｂの２次側給水路３４ｄから下側給水管３４ａの２次側給水路３４ｄを介して下側給水管３４ａの２次側給水路３４ｄの流出口３４ｅから貯水タンク１８へ流出させるものである。また、補給水装置２６は、これらの便器本体２に補給水としてリフィールさせる洗浄水と下側給水管３４ａの２次側給水路３４ｄの流出口３４ｅから貯水タンク１８へ流出させる洗浄水とが分岐する前に共通して流れる共通流路２６ｃをハウジング２６ｂ内に形成する共通流路形成部２６ｄを備えている。
この共通流路形成部２６ｄは、上側給水管３４ｂの上方に設けられており、給水バルブ３６が開弁した状態では、給水バルブ３６を通過した上側給水管３４ｂの２次側給水路３４ｄ内の洗浄水が、共通流路形成部２６ｄの共通流路２６ｃを通過するようになっている。
【００４５】
また、共通流路形成部２６ｄとハウジング２６ｂとの間には、共通流路形成部２６ｄの共通流路２６ｃを開閉する負圧破壊弁２６ｅが設けられ、この負圧破壊弁２６ｅは、この共通流路２６ｃ内の給水側（１次側）が負圧となったときに、この負圧を破壊するバキュームブレーカとして機能するようになっている。
【００４６】
つぎに、図１８は、本発明の第一実施形態による給水時（開弁時）の状態の洗浄水供給装置の補給水装置部分を拡大した部分拡大正面断面図であり、図１９は、本発明の第一実施形態による止水時（閉弁時）の状態の洗浄水供給装置の補給水装置部分を拡大した部分拡大正面断面図であり、図２０は、本発明の第一実施形態による洗浄水供給装置の補給水装置の共通流路形成部の内壁、弁体保持部及び通気口の部分を拡大した部分拡大平面図である。なお、図１８においては、洗浄水の流れを矢印で示している。
図１６〜図２０に示すように、共通流路形成部２６ｄの共通流路２６ｃは、給水バルブ３６を通過した洗浄水が流入する流入口２６ｆと、この流入口２６ｆから流入した洗浄水を貯水タンク１８へ流出させるタンク側流出口２６ｇと、流入口２６ｆから流入した洗浄水を補給水管２６ａへ流出させて補給水用のホース２８及びオーバーフロー管２４ａを介して便器本体２に補給水としてリフィールさせる便器側流出口２６ｈと、流入口２６ｆの上方のハウジング２６ｂの上面に形成されて外気と連通する通気口２６ｉを備えている。
【００４７】
また、図１６〜図２０に示すように、負圧破壊弁２６ｅは、共通流路２６ｃを開閉する弁体２６ｊと、この弁体２６ｊを上下方向に保持する弁体保持部材２６ｋを備え、この弁体保持部材２６ｋの上側保持部２６ｌよりも上方部分２６ｍは、ハウジング２６ｂのほぼ中央部分に通気口２６ｉを形成する共通通路２６ｃの内壁２６ｎにより上下方向にガイドされるようになっており、この負圧破壊弁２６ｅの弁体２６ｊは、共通流路２６ｃの流入口２６ｆと通気口２６ｉとの間を上下方向に所定距離ｈ（図１８参照）だけ移動可能となっている。
ここで、上述した所定距離ｈについては、例えば、１ｍｍ〜４ｍｍに設定することが好ましく、２ｍｍ〜３ｍｍに設定することが最も好ましい。
【００４８】
また、図２０に示すように、負圧破壊弁２６ｅの弁体保持部材２６ｋの上方部分２６ｍを上下方向にガイドする共通流路２６ｃの内壁２６ｎの内周面には、負圧破壊弁２６ｅの弁体保持部材２６ｋの上方部分２６ｍと共通流路２６ｃの内壁２６ｎとを点接触させるように内方に突出する点接触用の突起２６ｏが、内壁２６ｎの周面に沿って等間隔に４つ形成されている。これにより、負圧破壊弁２６ｅの弁体保持部材２６ｋが共通流路２６ｃの内壁２６ｎと点接触しながら上下動することができるため、負圧破壊弁２６ｅの弁体２６ｊを正常に上下動させることができるようになっている。また、負圧破壊弁２６ｅの弁体２６ｊが正常に上昇して共通流路２６ｃの流入口２６ｆを開放して通気口２６ｉを閉鎖している状態では、洗浄水が通過する補給水装置２６の共通流路形成部２６ｄ及びハウジング２６ｂの共通流路２６ｃを比較的大きく設定することができるようになっている。
なお、本実施形態では、例として、共通流路２６ｃの内壁２６ｎの内周面に点接触用の突起２６ｏを設けた形態について説明するが、共通流路２６ｃの内壁２６ｎの内周面に点接触用の突起２６ｏを設ける代わりに、弁体保持部材２６ｋの上方部分２６ｍの外周面に点接触用の突起を設けてもよい。
【００４９】
さらに、図１６〜図１９に示すように、共通流路２６ｃの流入口２６ｆは、仕切壁５６によって周方向に複数（６つ）に分割され、これらの複数の流入口２６ｆのうちの共通流路２６ｃの便器側流出口２６ｈに最も近接した流入口５８は、常時閉鎖されている。これにより、流入口２６ｆから共通流路２６ｃ内に流入した洗浄水をタンク側流出口２６ｇ及び便器側流出口２６ｈにスムーズに導くことができるようになっている。
【００５０】
つぎに、図１〜図２０を参照して、本発明の一実施形態による洗浄水供給装置、この洗浄水供給装置を備えた洗浄水タンク装置、及び、この洗浄水タンク装置を備えた水洗大便器の動作（作用）を説明する。
なお、以下、本発明の一実施形態による排水弁装置を備えた洗浄水タンク装置により実行される大洗浄モードと小洗浄モードの２種類の洗浄モードのうち、大洗浄モード時の操作ワイヤ３２による排水弁装置２４の弁体（図示せず）の引き上げ量が小洗浄モード時よりも大きくなり、貯水タンク１８の排水口２０を開放している時間が長い点と、大洗浄モード時の死水水位ＤＷＬが小洗浄モード時よりも低くなる点以外については、大洗浄モードと小洗浄モードの基本動作は共通しているため、大洗浄モードについてのみ説明する。
【００５１】
図２、図４及び図６に示すように、排水弁装置２４の排水開始前の状態では、排水弁装置２４の弁体（図示せず）が排水口２０を閉止しており、貯水タンク１８内の初期水位が満水水位ＷＬ０（図２及び図４参照）となり、フロート部材３８が水没している。
【００５２】
つぎに、図２、図４及び図６に示すように、使用者が操作レバー３０を操作すると、排水弁装置２４が貯水タンク１８の排水口２０を開放し、洗浄水タンク装置１６の排水弁装置２４による水洗大便器１の便器本体２への大洗浄モードの排水が開始され、貯水タンク１８内の水位が低下し始める。このとき、フロート４２は小タンク３８内の洗浄水による浮力により、上昇して静止した状態に維持されている。
【００５３】
つぎに、図２、図４及び図６に示すように、貯水タンク１８内の水位が満水水位ＷＬ０より低下し、洗浄水供給装置２２による給水が開始される貯水タンク１８内の水位ＷＬ２及び小タンク３８内の給水開始水位ｗｌよりも高い水位のときには、フロート４２は依然として上昇して静止した状態に維持され、貯水タンク１８内の水位は止水水位ＷＬ１となり、洗浄水供給装置２２による給水は行われていない。
【００５４】
つぎに、図２及び図４〜図６に示すように、貯水タンク１８内の水位が小タンク３８の底面３４ａの高さ位置とほぼ同一の水位ＷＬ２よりも低下すると、逆止弁４０が下降し、小タンク３８の底面３８ａに形成された開口３８ｂを開放する。
これにより、図５に矢印で示すように、小タンク３８の底面３４ａの小穴３４ｂ及び取付穴３４ｃの隙間から小タンク３８内の洗浄水が流出し、小タンク３８内の水位が小タンク３８の上縁３４ｄの高さと同一の満水水位から低下し始める。このとき、小タンク３８内の水位が給水開始水位ｗｌに低下するまでは、小タンク３８内の洗浄水によってフロート４２に作用している浮力がフロート４２の自重を上回るため、フロート４２は依然として上昇して静止した状態に維持される。ここで、小タンク３８内の給水開始水位ｗｌは、貯水タンク１８内の水位ＷＬ２よりも高くなっている。
【００５５】
また、小タンク３８内の水位が給水開始水位ｗｌよりも低下すると、フロート４２に作用している浮力がフロート４２の自重を下回るため、フロート４２が下降する。そして、図４及び図５に示すように、フロート４２の下降により揺動部材４４が支点Ｐを中心に揺動し、揺動部材４４の弁部材４４ａが給水バルブ３６のパイロット穴３６ｆを開放し、弁体３６ｃが図５の左側に移動し、上側給水管３４ｂの２次側給水路３４ｄの上流側端部に位置する弁座３４ｈが開放した状態（給水状態）となる。これにより、上側給水管３４ｂの２次側給水路３４ｄから補給水装置２６の共通流路２６ｃの流入口２６ｆに流入した洗浄水は、共通流路２６ｃのタンク側流出口２６ｇから流出して下側給水管３４ａの２次側給水路３４ｄの流出口３４ｅから貯水タンク１８内に給水される洗浄水と、共通流路２６ｃの便器側流出口２６ｈから補給水管２６ａ、補給水用のホース２８及びオーバーフロー管２４ａを経て排水口２０から便器本体２に補給水としてリフィールされる洗浄水とに分流される。
このとき、図１８に示すように、補給水装置２６内の負圧破壊弁２６ｅの弁体２６ｊが共通流路２６ｃの流入口２６ｆから流入する洗浄水の水圧を受けて最高位置まで上昇し、補給水装置２６の通気口２６ｉを閉鎖し、共通流路２６ｃ内の給水側（１次側）への負圧を破壊する。
【００５６】
つぎに、図２、図４及び図５に示すように、貯水タンク１８内の水位が死水水位ＤＷＬまで低下すると、排水弁装置２４が貯水タンク１８の排水口２０を閉止する。この間、小タンク３８内の水位は零となり、給水バルブ３６が開放されて洗浄水供給装置２２による貯水タンク１８への給水が継続して行われているため、貯水タンク１８内の水位が死水水位ＤＷＬから上昇する。
そして、貯水タンク１８内の水位が水位ＷＬ２まで上昇すると、逆止弁４０が上昇して小タンク３８の底面３８ａの開口３８ｂを閉止する。
このとき、小タンク３８内の水位は依然として零となっているが、貯水タンク１８内の水位がさらに上昇し、小タンク３８の上縁を乗り越えて小タンク３８内に流入すると、この小タンク３８内の水位が急激に上昇し、フロート４２を迅速に上昇させ、給水バルブ３６を速やかに閉弁させて止水する。
このとき、図１９に示すように、補給水装置２６内の負圧破壊弁２６ｅの弁体２６ｊが、共通流路２６ｃの流入口２６ｆから流入する洗浄水の水圧を受けなくなるため、最低位置まで下降する。そして、補給水装置２６の通気口２６ｉが開放され、共通流路２６ｃ内の給水側（１次側）への負圧が発生している状態となる。また、補給水装置２６の通気口２６ｉが開放されている状態では、通気口２６ｉと補給水管２６ａ及び補給水用のホース２８内が連通している状態となるため、補給水管２６ａ及び補給水用のホース２８内から共通流路２６ｃに逆流することはない。
【００５７】
上述した本発明の一実施形態による洗浄水供給装置２２によれば、フロート４２が下降して給水バルブ３６がパイロット穴３６ｆを開放しているときに、パイロット穴３６ｆの出口３６ｇから洗浄水が流出したとしても、小タンク３８及びフロート４２が給水管３４に対して給水バルブ３６のパイロット穴３６ｆの出口３６ｇが位置する側とは反対側に配置されていることにより、パイロット穴３６ｆの出口３６ｇから流出した洗浄水を小タンク３８及びフロート４２とは反対側に流出させることができるため、パイロット穴３６ｆの出口３６ｇから流出した洗浄水が小タンク３８内に流入することを防ぐことができる。したがって、貯水タンク１８内の止水水位ＷＬ１が便器洗浄に必要な規定水位に達する前に、小タンク３８内の水位が上昇してフロートが上昇することにより給水バルブ３８が早閉まりし、給水が停止してしまう不具合が発生することを未然に防ぐことができる。また、パイロット穴３６ｆの出口３６ｇから流出した洗浄水が小タンク３８内に流入することを防ぐための部材を設けること必要がないため、洗浄水供給装置２２の全体が大型化することを防ぐことができ、洗浄水供給装置２２の製造コストを抑制することができる。
【００５８】
また、本実施形態による洗浄水供給装置２２によれば、下側給水管３４ａの上端部３４ｉが、外側に突出して且つその先端部が上方に突出する凹部３４ｊを形成し、この凹部３４ｊの上周縁３４ｋが、平面視において給水バルブ３６のパイロット穴３６ｆの出口３６ｇよりも外側に形成されているため、パイロット穴３６ｆの出口３６ｇから流出した洗浄水を下側給水管３４ａの上端部３４ｉの凹部３４ｊで確実に受け止めることができ、パイロット穴３６ｆの出口３６ｇから流出した洗浄水が小タンク３８内に流入することを防ぐことができる。したがって、貯水タンク１８内の止水水位ＷＬ１が便器洗浄に必要な規定水位に達する前に、小タンク３８内の水位が上昇してフロート４２が上昇することにより給水バルブ３６が早閉まりし、給水が停止してしまう不具合が発生することを未然に防ぐことができる。
【００５９】
さらに、本実施形態による洗浄水供給装置２２によれば、パイロット穴３６ｆの出口３６ｇから流出して下側給水管３４ａの上端部３４ｉの凹部３４ｊ受け止められた洗浄水は、下側給水管３４ａの上端部３４ｉの凹部３４ｊの側面に形成された排出口５４から給水管３４に対して小タンク３８及びフロート４２が位置する側とは反対側に排出されるため、パイロット穴３６ｆの出口３６ｇから流出した洗浄水が小タンク３８内に流入することを防ぐことができる。したがって、貯水タンク１８内の止水水位ＷＬ１が便器洗浄に必要な規定水位に達する前に、小タンク３８内の水位が上昇してフロート４２が上昇することにより給水バルブ３６が早閉まりし、給水が停止してしまう不具合が発生することを未然に防ぐことができる。
【００６０】
また、本実施形態による洗浄水供給装置２２によれば、鉛直方向の最大長さＬが水平方向の最大長さＨよりも所定量短くなるように形成された扁平形状の小タンク３８により、貯水タンク１８内の水位が上昇して、小タンク３８の底面３８ａに形成された開口３８ｂが逆止弁４０で塞がれ、その後、小タンク３８内に洗浄水を貯水可能となる時間を短くすることができるため、給水弁のパイロット穴３６ｆから流出した洗浄水が万一小タンク３８内に流入したとしても、小タンク３８内に流入し貯水される洗浄水の水量を少なくすることができる。よって、貯水タンク１８内の止水水位が便器洗浄に必要な規定水位に達する前に、小タンク３８内の水位が上昇してフロート４２が上昇することにより給水バルブ３６が早閉まりし、給水が停止してしまう不具合が発生することを防ぐことができる。
【符号の説明】
【００６１】
１      水洗大便器
２      便器本体
４      ボウル部
６      トラップ管路
６ａ    排水トラップ管路の入口
８      リム
１０      第１吐水口
１２      溜水部
１４      第２吐水口
１６      洗浄水タンク装置
１８      貯水タンク
１８ａ    貯水タンクの底面
２０      排水口
２２      洗浄水供給装置
２４      排水弁装置
２４ａ    オーバーフロー管
２４ｂ    オーバーフロー管の上端開口部
２６      補給水装置
２６ａ    補給水管
２６ｂ    ハウジング
２６ｃ    共通流路
２６ｄ    共通流路形成部
２６ｅ    負圧破壊弁
２６ｆ    共通流路の流入口
２６ｇ    タンク側流出口
２６ｈ    便器側流出口
２６ｉ    通気口
２６ｊ    負圧破壊弁の弁体
２６ｋ    弁体保持部材
２６ｌ    弁体保持部材の上側保持部
２６ｍ    弁体保持部材の上側保持部よりも上方部分
２６ｎ    共通流路の内壁
２６ｏ    点接触用の突起
２８      補給水用のホース
２８ａ    補給水用のホースの下流側端部
３０      操作レバー
３２      操作ワイヤ
３４      給水管
３４ａ    下側給水管
３４ｂ    上側給水管
３４ｃ    １次側給水路
３４ｄ    ２次側給水路
３４ｅ    ２次側給水路の流出口
３４ｆ    １次側給水路の上流側端部
３４ｇ    絞り穴（絞り部）
３４ｈ    弁座
３４ｉ    下側給水管の上端部
３４ｊ    下側給水管の凹部
３４ｋ    下側給水管の凹部の上周縁
３４ｌ    上側給水管の凹部
３４ｍ    上側給水管の嵌合突起
３４ｎ    上側給水管の嵌合突起
３４ｏ    下側給水管の嵌合穴
３４ｐ    下側給水管の嵌合穴
３６      給水バルブ（給水弁）
３６ａ    バルブハウジング
３６ｂ    ダイヤフラム
３６ｃ    弁体
３６ｄ    ブリード穴
３６ｅ    背圧室
３６ｆ    パイロット穴
３６ｇ    パイロット穴の出口
３８      小タンク
３８ａ    底面
３８ｂ    開口
４０      逆止弁（開閉弁）
４２      フロート
４４      揺動部材
４４ａ    弁部材
４６      固定軸部材
４８      調整用軸部材
５０      フィルター部材
５０ａ    フィルター部材の通水部
５０ｂ    フィルター部材の取付部
５０ｃ    フィルター部材のスリット
５０ｄ    フィルター部材の仕切り部
５２      カバー部材
５４      排出口
５６      仕切壁（壁体）
５８      常時閉鎖された流入口
【図１】
0005818011.tif 000002
【図２】
0005818011.tif 000003
【図３】
0005818011.tif 000004
【図４】
0005818011.tif 000005
【図５】
0005818011.tif 000006
【図６】
0005818011.tif 000007
【図７】
0005818011.tif 000008
【図８】
0005818011.tif 000009
【図９】
0005818011.tif 000010
【図１０】
0005818011.tif 000011
【図１１】
0005818011.tif 000012
【図１２】
0005818011.tif 000013
【図１３】
0005818011.tif 000014
【図１４】
0005818011.tif 000015
【図１５】
0005818011.tif 000016
【図１６】
0005818011.tif 000017
【図１７】
0005818011.tif 000018
【図１８】
0005818011.tif 000019
【図１９】
0005818011.tif 000020
【図２０】
0005818011.tif 000021